(57)【要約】【課題】天井点検口の下部に足場を組む手間と時間をかけずに天井裏の点検を行うことができる天井点検口の開閉装置を提供する。【解決手段】天井点検口５１ａの上方の建物躯体５０に固定される固定部２と、この固定部２から吊り下げられたワイヤケーブル１５と、このワイヤケーブル１５を巻き取り上昇動作する可動部３と、固定部２の下部に可動部３を固定状態とするロック装置と、可動部３の下部に取り付けられるとともに、固定状態において天井点検口５１ａを閉塞する蓋２２とを備えるので、ロック装置による固定状態を解除して、可動部３とともに蓋２２を自重により下降させて天井点検口５１ａを開放することができる。また、可動部３がワイヤケーブル１５を巻き取り上昇動作させ、ロック装置により固定部２の下部に可動部３を固定状態とすることで、天井点検口５１ａを蓋２２で閉塞することができる。【選択図】図１
0003105749.tif 000002
【実用新案登録請求の範囲】
【請求項１】
天井点検口の上方の建物躯体に固定される固定部と、この固定部から吊り下げられたワイヤケーブルと、このワイヤケーブルを巻き取り上昇動作する可動部と、前記固定部の下部に前記可動部を固定状態とするロック装置と、前記可動部の下部に取り付けられるとともに、前記固定状態において前記天井点検口を閉塞する蓋とを備え、前記ロック装置による前記固定状態を解除することによって、前記可動部が自重により下降動作し、前記蓋を下降させて前記天井点検口を開放することを特徴とする天井点検口の開閉装置。
【請求項２】
前記ワイヤケーブルは、互いに点検口に上る梯子の幅よりも広い間隔を空けて前記固定部の下部に設けられた２つのプーリに係合しているとともに、両端が互いに点検口に上る梯子の幅よりも広い間隔を空けて前記可動部に固定されていることを特徴とする請求項１に記載の天井点検口の開閉装置。
【請求項３】
前記ロック装置は、前記可動部の上部から外側方に突設された係合部と、前記固定部に設けられ前記固定状態において前記係合部と係合する被係合部と、この被係合部を外側方へ揺動させる解除装置とからなり、この解除装置は天井の下部に設けられた引き具を引くことにより作動することを特徴とする請求項１または２に記載の天井点検口の開閉装置。
【考案の詳細な説明】
【技術分野】
【０００１】
本考案は、天井点検口の開閉装置に関する。
【背景技術】
【０００２】
建物の天井裏の配管や配線等を点検する場合には、天井点検口の蓋を開き、天井点検口から作業員が天井裏に入って点検している。例えば図８に示すように、従来の天井点検口５１ａには、ヒンジ等により開閉自在に取り付けられた蓋２１が設けられている。天井裏の配線等を点検する場合には、点検口の下部に足場を組み、足場の上に乗った作業員が蓋を開けて天井裏に入ることが一般的であった。
【考案の開示】
【考案が解決しようとする課題】
【０００３】
しかし、従来の方法では、天井点検口の下部に足場を組む手間と時間がかかるという問題があった。
【０００４】
本考案の課題は、天井点検口の下部に足場を組む手間と時間をかけずに天井裏の点検を行うことができる天井点検口の開閉装置を提供することである。
【課題を解決するための手段】
【０００５】
以上の課題を解決するため、請求項１に記載の考案は、天井点検口の開閉装置であって、天井点検口５１ａの上方の建物躯体（梁５０）に固定される固定部２と、この固定部２から吊り下げられたワイヤケーブル１５と、このワイヤケーブル１５を巻き取り上昇動作する可動部３と、前記固定部２の下部に前記可動部３を固定状態とするロック装置（摺動部材１１、被係合部１３、１３、及び係合部２８、２８）と、前記可動部３の下部に取り付けられるとともに、前記固定状態において前記天井点検口５１ａを閉塞する蓋２２とを備え、前記ロック装置（摺動部材１１、被係合部１３、１３、及び係合部２８、２８）による前記固定状態を解除することによって、前記可動部３が自重により下降動作し、前記蓋２２を下降させて前記天井点検口５１ａを開放することを特徴とする。
【０００６】
請求項１に記載の考案によれば、天井点検口５１ａの上方の建物躯体（梁５０）に固定される固定部２と、この固定部２から吊り下げられたワイヤケーブル１５と、このワイヤケーブル１５を巻き取り上昇動作する可動部３と、前記固定部２の下部に前記可動部３を固定状態とするロック装置（摺動部材１１、被係合部１３、１３、及び係合部２８、２８）と、前記可動部３の下部に取り付けられるとともに、前記固定状態において前記天井点検口５１ａを閉塞する蓋２２とを備えるので、前記ロック装置（摺動部材１１、被係合部１３、１３、及び係合部２８、２８）による前記固定状態を解除することによって、可動部３を自重により下降動作させ、蓋２２を下降させて前記天井点検口５１ａを開放することができる。また、可動部３がワイヤケーブル１５を巻き取り上昇動作させ、ロック装置（摺動部材１１、被係合部１３、１３、及び係合部２８、２８）により固定部２の下部に可動部３を固定状態とすることで、天井点検口５１ａを蓋２２で閉塞することができる。したがって、天井点検口５１ａの下部に足場を組む手間と時間をかけずに天井裏の点検を行うことができる。
【０００７】
請求項２に記載の考案は、請求項１に記載の天井点検口の開閉装置であって、前記ワイヤケーブル１５は、互いに点検口５１ａに上る梯子の幅よりも広い間隔を空けて前記固定部２の下部に設けられた２つのプーリ６１、６１に係合しているとともに、両端が互いに点検口５１ａに上る梯子の幅よりも広い間隔を空けて前記可動部３に固定されていることを特徴とする。
【０００８】
請求項２に記載の考案によれば、ワイヤケーブル１５が、互いに点検口５１ａに上る梯子の幅よりも広い間隔を空けて前記固定部２の下部に設けられた２つのプーリ６１、６１に係合しているとともに、両端が互いに点検口５１ａに上る梯子の幅よりも広い間隔を空けて前記可動部３に固定されているので、可動部３を２箇所で吊り上げるワイヤケーブル１５に点検口に上る梯子の幅よりも広い間隔を空けることができる。このため、蓋２２を下降させた状態で、ワイヤケーブル１５の間隔に梯子を通し、天井点検口５１ａの中に入れ、建物躯体（梁５０）に保たせ固定し、梯子を上って容易に天井裏に入ることができる。
【０００９】
請求項３に記載の考案は、請求項１または２に記載の天井点検口の開閉装置であって、前記ロック装置は、前記可動部３の上部から外側方に突設された係合部２８、２８と、前記固定部２に設けられ、前記固定状態において前記係合部２８、２８と係合する被係合部１３、１３と、この被係合部１３、１３を外側方へ揺動させる解除装置（摺動部材１１）とからなり、この解除装置（摺動部材１１）は天井５１の下部に設けられた引き具１２ａを引くことにより作動することを特徴とする。
【００１０】
請求項３に記載の考案によれば、ロック装置が、前記可動部３の上部から外側方に突設された係合部２８、２８と、前記固定部２に設けられ前記固定状態において前記係合部２８、２８と係合する被係合部１３、１３と、この被係合部１３、１３を外側方へ揺動させる解除装置（摺動部材１１）とからなり、この解除装置（摺動部材１１）が天井下部に設けられた引き具１２ａを引くことにより作動するので、天井５１の下から容易に蓋２２を降下させて天井点検口５１ａを開放することができる。
【考案の効果】
【００１１】
本考案によれば、天井点検口の上方の建物躯体に固定される固定部と、この固定部から吊り下げられたワイヤケーブルと、このワイヤケーブルを巻き取り上昇動作する可動部と、前記固定部の下部に前記可動部３を固定状態とするロック装置と、前記可動部の下部に取り付けられるとともに、前記固定状態において前記天井点検口を閉塞する蓋とを備えるので、前記ロック装置による前記固定状態を解除することによって、可動部を自重により下降動作させ、蓋を下降させて前記天井点検口を開放することができる。また、可動部がワイヤケーブルを巻き取り上昇動作させ、ロック装置により固定部の下部に可動部を固定状態とすることで、天井点検口を蓋で閉塞することができる。したがって、天井点検口の下部に足場を組む手間と時間をかけずに天井裏の点検を行うことができる。
【００１２】
また、ワイヤケーブルが、互いに点検口に上る梯子の幅よりも広い間隔を空けて前記固定部の下部に設けられた２つのプーリに係合しているとともに、両端が互いに点検口に上る梯子の幅よりも広い間隔を空けて前記可動部に固定されているので、可動部を２箇所で吊り上げるワイヤケーブルに点検口に上る梯子の幅よりも広い間隔を空けることができる。このため、蓋を下降させた状態で、ワイヤケーブルの間隔に梯子を通し、天井点検口の中に入れ、建物躯体に保たせ固定し、梯子を上って容易に天井裏に入ることができる。
【００１３】
さらに、ロック装置が、前記可動部の上部から外側方に突設された係合部と、前記固定部に設けられ前記固定状態において前記係合部と係合する被係合部と、この被係合部を外側方へ揺動させる解除装置とからなり、この解除装置が天井下部に設けられた引き具を引くことにより作動するので、天井の下から容易に蓋を降下させて天井点検口を開放することができる。
【考案を実施するための最良の形態】
【００１４】
以下、図面を参照して本考案に係る実施の形態例を説明する。本考案の装置１は、図１または図２に示すように、固定部２と、この固定部２に対し、例えばワイヤケーブル１５等により昇降自在に吊り下げ支持された可動部３と、可動部３の下部に取り付けられた蓋２２とに大きく分かれた概略構成となっている。
【００１５】
このうち、固定部２は、点検口５１ａが設置される天井５１よりも上方の、例えば建物の梁５０等に対して固定される。固定部２は、棒状の支持部材５と、ブラケット６と、上板７と、側壁８とから概略構成される。
【００１６】
支持部材５の上端は梁５０に固定されている。この支持部材５には、ブラケット６を介して上板７が固定されている。この上板７は、例えば、図３に示すように円板状のものである。
【００１７】
上板７の下面には、図４および図５に示すように、ワイヤケーブル１５が係合するプーリ６１、６１を回動自在に支持したブラケット６０、６０が互いに点検口５１ａに上る梯子の幅よりも広い間隔を空けて固定されている。
【００１８】
また、この上板７の、直径方向に離間した周縁部には、下面から垂下するようにして一対の側壁８、８が固定されている。これら側壁８は、例えば、鋼板を折り曲げて形成した平断面形状がＬ字状のものであり、可動部３が上昇する際に、該可動部３をガイドする機能を有する。
【００１９】
また、上板７の下部には、ロック装置（固定手段）を構成する摺動部材１１及び被係合部１３、１３が設けられる。ロック装置は、可動部３を固定部２に対しロック状態とする。
【００２０】
揺動部材１１は、揺動部材本体１１ａと、この揺動部材本体１１ａから枝分かれするようにして設けられた挟持部１１ｂとを有している。また、揺動部材本体１１ａの一方の端部には、揺動部材１１を上板７の下面に揺動自在に固定する支点１１ｃが設けられている。
【００２１】
揺動部材本体１１ａは略直角に折れ曲がっており、揺動部材本体１１ａの支点１１ｃと反対側の端部は上板７の上部に突出している。該端部は連結具を介して解除レバー１０と連結されている。レバー１０の先端には該先端から垂下する紐１２が取り付けられている。紐の下端には引き具１２ａが取り付けられている。紐１２は天井５１を貫通し、引き具１２ａを天井５１よりも下部に配置している。
【００２２】
揺動部材本体１１ａの前記連結具と上板７との間の部分には、圧縮型のコイルスプリング１１ｄなどの付勢手段が外挿されている。このコイルスプリング１１ｄの付勢力により揺動部材１１は、レバー１０を下げないときには、図５等に実線で示されるように、挟持部１１ｂが上板７と平行に維持されている。紐１２を下に引っ張ることにより解除レバー１０を下げると、支点１１ｃを支点として揺動部材１１がコイルスプリング１１ｄの付勢力に抗して下方向に揺動する。
【００２３】
挟持部１１ｂは、図６（ａ）〜（ｃ）に示すように、揺動部材本体１１ａとの協働により被係合部１３、１３の被挟持部１３ａ、１３ａを挟持する。
【００２４】
被係合部１３、１３は、間に揺動部材１１を挟み、可動部３の幅だけ離間して対向配置されており、それぞれ軸１３ｃ、１３ｃにより上板７に対して揺動自在に取り付けられている。これら被係合部１３、１３は、揺動部材１１により挟持される被挟持部１３ａ、１３ａと、係合部２８、２８の先端の傾斜部２８ａ、２８ａをガイドするガイド部１３ｂ、１３ｂと、可動部３の係合部２８、２８の先端が嵌入される係合孔１３ｄ、１３ｄ（図５等参照）を有している。
【００２５】
被係合部１３、１３の被挟持部１３ａ、１３ａは、揺動部材本体１１ａと挟持部１１ｂとにより挟持されているので、解除レバー１０を下げないときには、被係合部１３、１３は図６（ｃ）に実線で示される状態に維持されている。解除レバー１０を下げると、揺動部材本体１１ａが被挟持部１３ａ、１３ａを強制的に下方向に移動し、これにより被係合部１３、１３が互いに離間する方向に軸１３ｃ、１３ｃの軸周りに揺動する（図６（ｃ）の２点鎖線）。
【００２６】
解除レバー１０の下方向への動作を解除すると、被挟持部１３ａ、１３ａは挟持部１１ｂの上方向への揺動により、強制的に上昇動作され、被係合部１３、１３が図６（ｃ）に実線で示される位置に復帰する。つまり、被係合部１３、１３は、揺動部材１１を介して、互いに近づく方向にコイルスプリング１１ｄにより付勢されている。
【００２７】
係合孔１３ｄ、１３ｄに係合部２８の先端部が係合しているときは、レバー１０を下げない限り、被係合部１３、１３が互いに離間せず、固定部２に対する可動部３の固定状態が解除されない。逆に、レバー１０を下げることで、揺動部材１１を下方向に揺動させ、被係合部１３、１３が開動作し、固定部２に対する可動部３の固定状態が解除される。
【００２８】
可動部３は、例えば略直方体形状の筐体２０を有している。筐体２０の下部には、ワイヤケーブル１５を巻き取る巻ドラム２５、減速機を介するなどしてこの巻きドラム２５を回転させるモーター２３、ワイヤケーブル１５の一端が固定されるワイヤケーブル固定部６２（図４参照）が、それぞれ固定されている。また、筐体２０の下部には、ワイヤケーブル２１に吊られた蓋２２が設けられている。
【００２９】
ここで、ワイヤケーブル１５の経路について説明する。可動部３の筐体２０の内部には、ワイヤケーブル１５が係合するプーリ６３、６４、プーリ６６、６７および、ワイヤケーブル１５が巻ドラム２５に対し好適に整列巻きされるように、たいこ型の外周部（図５参照）によりワイヤケーブル１５の経路を誘導する誘導部材６５が配設されている。
【００３０】
ワイヤケーブル１５は、その一端がワイヤケーブル固定部６２に固定されており、プーリ６３、６４、プーリ６１、６１、プーリ６６、６７、誘導部材６５にそれぞれ係合して他端が巻ドラム２５に固定されている。筐体２０の上面には、ワイヤケーブル１５を挿通する図示しない２つの挿通孔が、互いに点検口５１ａに上る梯子の幅よりも広い間隔を空けて形成されている。プーリ６３、６４と図４の右側のプーリ６１との間において、ワイヤケーブル１５は一方の挿通孔に通されている。
【００３１】
また、図４の左側のプーリ６１とプーリ６６、６７と間において、ワイヤケーブル１５は他方の挿通孔に通されている。即ち、ワイヤケーブル１５は、その一端が可動部３のワイヤケーブル固定部６２に固定され、プーリ６１、６１により固定部２においてループされ、可動部３の巻ドラム２５に他端が固定されている。
【００３２】
ワイヤケーブル１５がこのように配設されているため、モーター２３を駆動させることにより巻ドラム２５が回動してワイヤケーブル１５が巻き取られ、可動部３が水平に保たれたまま固定部２に向けて上昇する。モーター２３は、可動部３に設けられた巻き上げスイッチ８０をＯＮにすることにより駆動される。
【００３３】
また、装置本体には、図示しないリミッターが設けられており、後述する設置作業により蓋２２が天井５１に沿って配設された時点で、巻き上げスイッチ８０をＯＦＦにすることなくモーター２３の駆動が停止される。これにより、巻ドラム２５によるワイヤケーブル１５の巻き取り動作が停止されて、可動部３の上昇動作が停止する。
【００３４】
モーター２３は、一方向回転型でブレーキを持たないものである。モーター２３の駆動が停止し、かつ、可動部３が固定部に固定された状態において、後述するレバー１０の先端を下方に引っ張ることにより可動部３の後述する係合部２８の、固定部２の後述する被係合部１３に対する係合状態が解除され、可動部３以下の自重により図示しない減速機の抵抗を介してモーター２３が逆回転して、可動部３がゆっくりと下降動作する。
【００３５】
さらに、モーター２３への駆動電力供給のため、可動部３には、図示しない（充電式等の）バッテリーが設けられるか、または、可動部３へと電力供給用の配線が導入されている。
【００３６】
可動部３の筐体２０の上面には、図７に示すように、係合部２８、２８が、各々の先端が該上面から外方に向けて水平方向に突出するようにして対向配置されている。係合部２８、２８は、被係合部１３、１３の係合孔１３ｄ、１３ｄに係合する。
【００３７】
可動部３が上昇することにより係合部２８が被係合部１３、１３の間隔に押し入ると、被係合部１３、１３がコイルスプリング１１ｄの付勢力に抗して開動作され、なおも可動部３が上昇することで被係合部１３、１３がコイルスプリング１１ｄの付勢力に従って閉動作して係合部２８が被係合部１３、１３に対して係合する。これにより、可動部３が固定部２に対して固定される。
【００３８】
このとき、被挟持部１３ａ、１３ａが揺動部材本体１１ａと挟持部１１ｂとにより挟持されているため、被係合部１３、１３の開動作および閉動作は、必ず強制的に連動して行われるようになっており、片側だけが動くということがない。従って、両被係合部１３、１３に対する両係合部２８、２８の係合状態および係合状態の解除は、必ず連動するようになっており、片側だけが係合状態になってしまうといった問題がない。
【００３９】
また、係合部２８、２８の先端は、外側に向けて下る傾斜部２８ａ、２８ａとなっている一方で、被係合部１３、１３の下部は、この傾斜部２８ａ、２８ａに沿うように形成されて、該傾斜部２８ａ、２８ａをガイドするガイド部１３ｂ、１３ｂとなっているので、可動部３の上昇動作により被係合部１３、１３に対して係合部２８、２８が係合する際に、被係合部１３、１３の開動作が円滑に行われる。
【００４０】
さらに、図４及び図７に示すように、可動部３の筐体２０の側面部には、被ガイド部７０が取り付けられている。これら被ガイド部７０の上部は、外側に向けて下る傾斜部７０ａとなっている。他方、固定部２の側壁８、８の下部は、これら傾斜部７０ａに沿うように外方に向けて折り曲げられている。従って、可動部３が上昇した際に、被ガイド部７０を介して筐体２０が側壁８、８の下部によりガイドされて、筐体２０が円滑に側壁８、８内に収容される。
【００４１】
次ぎに、以上のような構成の装置１による蓋２２の着脱作業について説明する。先ず、点検口５１ａが形成された天井５１の、該開口部５１ａの上方の梁５０などに対し固定部２を固定するとともに、床などの低所において可動部３に蓋２２を取り付け、蓋２２を可動部３により吊り下げ支持させる。そして、モーター２３を駆動させて巻ドラム２５によるワイヤケーブル１５の巻き取り動作を開始する。すると、可動部３の上昇動作が開始し、可動部３は固定部２に向けて移動する。
【００４２】
上昇動作が進行して、可動部３の筐体２０は、その側面が、被ガイド部７０、を介して固定部２の側壁８、８により案内され、仮に可動部３の上昇時に僅かな揺れがあったとしても、好適に可動部３を所定の上昇経路に案内できる。
【００４３】
引き続き上昇動作が進行して蓋２２が天井５１と同じ高さに到達した時点（図２参照）で、可動部３の係合部２８が固定部２の被係合部１３、１３の間隔に押し入って、係合部２８が被係合部１３、１３に対して係合し、可動部３が固定部２に対して固定される。これにより、蓋２２が、天井５１に固定される。さらに、図示しないリミッターの作用により、蓋２２が天井５１に沿って配設された時点でモーター２３の駆動が停止されることで、巻ドラム２５によるワイヤケーブル１５の巻き取り動作が停止されて、可動部３の上昇動作が停止する。
【００４４】
また、天井裏の定期点検時や可動部３の故障発生時等のメンテナンス作業の際には、可動部３の係合部２８と固定部２の被係合部１３、１３との係合状態を解除することで、可動部３以下の部分の自重により、可動部３以下の部分が下降動作する。このとき、図示しない減速機等を介してモーター２３が逆回転することで、可動部３以下の部分をゆっくりと下降させることができる。そして、可動部３以下の部分を床などの低所に置いて、所定の作業を行う。
【００４５】
以上のように、本実施の形態によれば、天井５１の上方の例えば梁５０等に固定される固定部２と、固定部２に対し昇降可能に吊り下げ支持された可動部３と、可動部３の下部に固定され、天井５１の点検口５１ａを閉塞する蓋２２とを備えているので、天井５１の点検口５１ａの上方の梁５０などに対し固定部２を固定するとともに、床などの低所に蓋２２を下ろしてから、ワイヤケーブル１５の間を通して梯子を点検口５１ａに入れ、梁５０に保たせ固定し、次いで、梯子を上って天井裏に入り、天井裏の点検を行うことができる。
【００４６】
また、可動部３は、上昇動作用の駆動手段たるモーター２３、巻ドラム２５等を有するので、この駆動手段を駆動させることにより、可動部３の上昇動作を行うことができ、蓋２２が天井５１の点検口５１ａの外周と同じ高さになるまで可動部３を上昇させることにより、容易に点検口５１ａを蓋２２で閉塞することができる。
【００４７】
また、駆動手段を固定部２側でなく可動部３側に設けたので、固定部２を軽量なものとすることができ、最初に取り付ける必要がある固定部２の取付作業を簡易にすることができる。
【００４８】
さらに、可動部３は、自重により固定部２に対し下降動作を行うので、可動部３に設けられた駆動手段に故障が生じた場合でも、必要に応じて可動部３を下降させて低所に降ろすことができ、可動部３のメンテナンス作業を行うことができる。
【００４９】
なお、以上の実施の形態においては、梁５０に固定部２を取り付けたが、本考案はこれに限らず、例えば上階の床を構成するスラブや、屋根材に取り付けてもよい。その他具体的な細部構造についても適宜変更可能であることはもちろんである。
【図面の簡単な説明】
【００５０】
【図１】天井点検口を開いたときの本考案の天井点検口の開閉装置を示す立面図である。
【図２】天井点検口を閉じたときの本考案の天井点検口の開閉装置を示す立面図である。
【図３】本考案の天井点検口の開閉装置を示す平面図である。
【図４】本考案の天井点検口の開閉装置の内部構造を示す立面図である。
【図５】図４の側面図である。
【図６】本考案に用いられるロック装置を示す図であり、（ａ）は平面図、（ｂ）は（ａ）のＡ−Ａ断面図、（ｃ）は立面図である。
【図７】本考案の天井点検口の開閉装置の可動部を示す平面図である。
【図８】従来の天井点検口の構造を示す鉛直断面図である。
【符号の説明】
【００５１】
２     固定部
３     可動部
１１   摺動部材
１２ａ 引き具
１３   被係合部
１５   ワイヤケーブル
２２   蓋
２８   係合部
５０   梁
５１   天井
５１ａ 天井点検口
６１   プーリ
【図１】
0003105749.tif 000003
【図２】
0003105749.tif 000004
【図３】
0003105749.tif 000005
【図４】
0003105749.tif 000006
【図５】
0003105749.tif 000007
【図６】
0003105749.tif 000008
【図７】
0003105749.tif 000009
【図８】
0003105749.tif 000010